(57)【要約】  本発明は撮影サポート機器に関し、伸縮棒と、撮影機器を挟持するための挟持装置であって、物置台と前記物置台の上方に設けられた引き伸ばし可能な挟圧機構とを含む挟持装置と、を含む一体型の自分撮り装置であって、前記挟持装置は、前記伸縮棒の頂端に一体的に回動するように連結されている自分撮り装置を提供する。前記物置台には切欠きが設けられ、前記挟圧機構には前記切欠きの位置と対応して折曲部が設けられ、前記伸縮棒は折り畳んでから前記切欠きと前記折曲部とに収容することができる。挟持装置が伸縮棒の頂端に回動自在に連結され、使用するときに一時的に組み立てる必要がないため、使用者に大変便利である。使用後は、伸縮棒を物置台の切欠き及び挟圧機構の折曲部に直接収容することができ、余分なスペースを必要としないため、携帯に便利である。【選択図】  図１
2016538603.tif 000002
【特許請求の範囲】
【請求項１】
伸縮棒と、
撮影機器を挟持するための挟持装置であって、物置台と前記物置台の上方に設けられた引き伸ばし可能な挟圧機構とを含む挟持装置と、
を含む一体型の自分撮り装置であって、
前記挟持装置は前記伸縮棒の頂端に一体的に回動するように連結されている
ことを特徴とする自分撮り装置。
【請求項２】
請求項１に記載の自分撮り装置であって、
前記物置台には切欠きが設けられ、前記挟圧機構には前記切欠きの位置と対応して折曲部が設けられ、前記伸縮棒は折り畳んでから前記切欠きと前記折曲部とに収容することができる
ことを特徴とする自分撮り装置。
【請求項３】
請求項２に記載の自分撮り装置であって、
前記伸縮棒は若干の棒部材を含む
ことを特徴とする自分撮り装置。
【請求項４】
請求項３に記載の自分撮り装置であって、
前記伸縮棒の上端には連結頭部が設けられ、前記連結頭部は前記伸縮棒の最上端の前記棒部材と一体的に設けられている
ことを特徴とする自分撮り装置。
【請求項５】
請求項４に記載の自分撮り装置であって、
前記連結頭部と前記挟持装置とは回動自在に連結され、且つ回動連結箇所にはロック装置が設けられている
ことを特徴とする自分撮り装置。
【請求項６】
請求項３に記載の自分撮り装置であって、
前記伸縮棒の下端には把持部が設けられ、前記把持部には撮影ボタンが設けられている
ことを特徴とする自分撮り装置。
【請求項７】
請求項６に記載の自分撮り装置であって、
前記把持部は滑り止め領域を含み、前記滑り止め領域には滑り止め模様が設けられている
ことを特徴とする自分撮り装置。
【請求項８】
請求項６に記載の自分撮り装置であって、
前記把持部の底端には電源スイッチが設けられている
ことを特徴とする自分撮り装置。
【請求項９】
請求項７に記載の自分撮り装置であって、
前記把持部の底端にはＵＳＢポートが設けられている
ことを特徴とする自分撮り装置。
【請求項１０】
請求項２に記載の自分撮り装置であって、
前記物置台の上表面は前端が高く後端が低い曲面である
ことを特徴とする自分撮り装置。
【請求項１１】
請求項１０に記載の自分撮り装置であって、
前記挟圧機構は前記物置台の上表面の後端に設けられ、前記折曲部は前記物置台の上表面の前端方向に凸出している
ことを特徴とする自分撮り装置。
【請求項１２】
請求項１１に記載の自分撮り装置であって、
前記折曲部の前記物置台の上表面の前端方向に凸出する箇所には掴み部及びクッションが設けられ、前記クッションは前記掴み部の下方に一体的に設けられている
ことを特徴とする自分撮り装置。
【請求項１３】
請求項１２に記載の自分撮り装置であって、
前記掴み部には滑り止め模様が設けられている
ことを特徴とする自分撮り装置。
【発明の詳細な説明】
【技術分野】
【０００１】
本発明は、撮影サポート機器に関し、具体的には一体型の自分撮り装置に関する。
【背景技術】
【０００２】
現実生活において、人々は旅行の際には通常撮影装置を携帯して記念に風景と合わせて同行親友と一緒に写真撮影又は録画をする。同行者全員を含めて撮影するには、伝統的には、そのうちの一人が撮影装置を手に持って反対向きにして撮影する自分撮りの方法がとられていた。しかし、カメラの体積が大きいため、自分撮りは不便であった。また、撮影の際に撮影ボタンを押さなければならないため、画面が揺れて撮影範囲が思う通りにならず、撮影効果が好ましくなかった。また、人数が多くなると、自分撮りでは全員を撮影できなかった。
【０００３】
上記自分撮りにおける課題を解決するものとして、様々な自分撮り装置が市場に登場している。これらは、自分撮り装置を把持して撮影装置を撮影者から一定の距離引き離し、リモートコントローラーで撮影装置を制御することによって撮影を行って、より好ましい撮影アングル及び撮影効果を得ようとするものである。しかし、従来の自分撮り装置は、携帯の際には通常いくつかの部分に分解されており、使用時に一時的に組み立てて、使用後は分解しなければならないため、使用者にとって不便である。また、組立、分解及び携帯の過程において部品を破損や紛失しやすいため、自分撮り装置が耐用年数になる前に使えなくなることがある。
【発明の概要】
【発明が解決しようとする課題】
【０００４】
本発明は、従来技術における上記課題を解決するためのもので、従来の自分撮り装置における使用時には一時的に組み立て、使用後は分解しなければならないという課題を解消するための一体型の自分撮り装置を提供することを目的とする。
【課題を解決するための手段】
【０００５】
上記課題を解決するため、本発明に係る自分撮り装置は、伸縮棒と、撮影機器を挟持するための挟持装置であって、物置台と前記物置台の上方に設けられた引き伸ばし可能な挟圧機構とを含む挟持装置と、を含む一体型の自分撮り装置であって、前記挟持装置は前記伸縮棒の頂端に一体的に回動するように連結されている。
【０００６】
また、好ましくは、前記物置台には切欠きが設けられ、前記挟圧機構の中部には前記切欠きの位置と対応して折曲部が設けられ、前記伸縮棒は折り畳んでから前記切欠きと前記折曲部とに収容することができる。
【０００７】
また、好ましくは、前記伸縮棒は若干の棒部材を含む。
【０００８】
また、好ましくは、前記伸縮棒の上端には連結頭部が設けられ、前記連結頭部は前記伸縮棒の最上端の前記棒部材と一体的に設けられている。
【０００９】
また、好ましくは、前記連結頭部と前記挟持装置とは回動自在に連結され、且つ回動連結箇所にはロック装置が設けられている。
【００１０】
また、好ましくは、前記伸縮棒の下端には把持部が設けられ、前記把持部には撮影ボタンが設けられている。
【００１１】
また、好ましくは、前記把持部は滑り止め領域を含み、前記滑り止め領域には滑り止め模様が設けられている。
【００１２】
また、好ましくは、前記把持部の底端には電源スイッチが設けられている。
【００１３】
また、好ましくは、前記把持部の底端にはＵＳＢポートが設けられている。
【００１４】
また、好ましくは、前記物置台の上表面は前端が高く後端が低い曲面である。
【００１５】
また、好ましくは、前記挟圧機構は前記物置台の上表面の後端に設けられ、前記折曲部は前記物置台の上表面の前端方向に凸出している。
【００１６】
また、好ましくは、前記折曲部の前記物置台の上表面の前端方向に凸出する箇所には掴み部及びクッションが設けられ、前記クッションは前記掴み部の下方に一体的に設けられている。
【００１７】
また、好ましくは、前記掴み部には滑り止め模様が設けられている。
【発明の効果】
【００１８】
本発明は以下の有益な効果を有する。挟持装置を伸縮棒の頂端に一体的に回動するように連結することによって、使用時に一時的に組み立てる必要がなくなり、使用者に大変便利である。使用後は伸縮棒を物置台の切欠き及び挟圧機構の折曲部に直接収容するため、余分なスペースを必要とせず、携帯に便利である。
【図面の簡単な説明】
【００１９】
【図１】本発明に係る一体型の自分撮り装置の使用状態の斜視図である。
【図２】本発明に係る一体型の自分撮り装置の収容状態の斜視図である。
【図３】本発明に係る一体型の自分撮り装置の使用状態の他の斜視図である。
【図４】図３中のＡ部の部分拡大図である。
【図５】本発明に係る一体型の自分撮り装置の収容状態の他の斜視図である。
【図６】本発明に係る一体型の自分撮り装置の部分分解斜視図である。
【発明を実施するための形態】
【００２０】
図面を参照して、本発明の好適な実施形態について詳細に説明する。
【００２１】
図１に示すように、本実施形態に係る一体型の自分撮り装置は、伸縮棒１と、撮影機器を挟持するための挟持装置２とを含む。上記挟持装置２は、物置台２１と、物置台２１の上方に設けられた引き伸ばし可能な挟圧機構２２とを含む。上記挟持装置２は、上記伸縮棒１の頂端に一体的に回動するように連結されている。上記物置台２１には切欠き２１１が設けられ、上記挟圧機構２２の中部には上記切欠き２１１の位置と対応して折曲部２２１が設けられている。上記伸縮棒は折り畳んでから上記切欠き２１１と折曲部２２１とに収容することができる。具体的には、使用しないときは、上記伸縮棒１を回動させて、上記切欠き２１１と折曲部２２１とに収容する（即ち、上記伸縮棒１を縮ませてから上記切欠き２１１及び折曲部２２１のところに折り畳む）。使用するときは、伸縮棒１を切欠き２１１及び折曲部２２１から回動させて取り出す。上記挟持装置２は、上記伸縮棒１の頂端に一体的に連結され、使用するときに一時的に組み立てる必要がないため、使用者に大変便利である。使用後は、伸縮棒１を物置台２１の切欠き２１１及び挟圧機構２２の折曲部２２１に直接収容することができ、余分なスペースを必要としないため、携帯に便利である。さらに、上記伸縮棒１は、若干の棒部材１１を含む。当該自分撮り装置を使用するときは、棒部材１１を引き伸ばすことによって伸縮棒１を適宜な長さに伸ばすことができ、挟持装置２に挟持された撮影機器を使用者から一定の距離引き離すことができる。上記棒部材１１は２つ以上である。本実施形態に係る自分撮り装置は、さらにリモートコントロールユニットを含む。リモートコントロールユニットと撮影機器とを無線接続して撮影機器を制御して自分撮りすることによって、より大きくより好適な撮影アングルを得ることができ、使用者の撮影体験を向上させることができる。上記無線接続はＷｉｆｉ又はＢｌｕｅｔｏｏｔｈ（登録商標）等いかなる無線接続方法であってもよい。
【００２２】
図２〜図４に示すように、本実施形態に係る伸縮棒１は上端に連結頭部１２が設けられ、当該連結頭部１２は上記伸縮棒１の最上端の棒部材１１と一体的に設けられている。上記連結頭部１２と上記挟持装置２とは回動自在に連結され、且つ回動連結箇所にはロック装置１３が設けられている。上記回動連結は、好ましくはヒンジ連結である。具体的には、当該一体型の自分撮り装置を携帯するときは、上記連結頭部１２を物置台２１の切欠き２１１のところに収容することができ、このとき上記折曲部２２１の凹部のところにちょうど上記伸縮棒１を収容することができるため、当該自分撮り装置は一体化という課題を解決すると共に、余分なスペースを取らないので、携帯に大変便利である。上記ロック装置１３は、連結頭部１２と挟持装置２とのロックに用いられるだけでなく、連結頭部１２と挟持装置２との間の回動軸でもある。連結頭部１２と挟持装置２との間にヒンジを設けることによって、自分撮りや他の撮影の際の撮影機器の撮影アングルの調整を実現することができ、より好適な撮影効果を得ることができる。さらに、上記伸縮棒１は下端に把持部１４が設けられ、当該把持部１４には撮影ボタン１５が設けられている。上記把持部１４は滑り止め領域１４１を含み、上記滑り止め領域１４１には滑り止め模様が設けられている。具体的には、上記撮影ボタン１５は上記滑り止め領域１４１の前端に設けられ、当該一体型の自分撮り装置を使用する際に手で滑り止め領域１４１を握ると、上記撮影ボタン１５に楽に親指を置くことができる。さらに、上記把持部１４の内部にはリモートコントロールユニットが設けられ、上記撮影ボタン１５はリモートコントロールユニットの一部である。上記把持部１４の底端には電源スイッチ１６が設けられ、当該電源スイッチ１６はリモートコントロールユニットの電源のオン、オフに用いられる。電源スイッチ１６を把持部１４の底端に設けることによって、撮影操作時の誤操作を防止することができる。さらに、上記把持部１４の底端にはＵＳＢポート１７が設けられている。上記ＵＳＢポート１７は、リモートコントロールユニットとコンピュータとのデータ交換又はリモートコントロールユニットのソフトの更新を実現するために、リモートコントロールユニットの基板と電気接続されている。また、リモートコントロールユニット内のバッテリーは当該ＵＳＢポート１７を通じて充電することができる。
【００２３】
図５、図６に示すように、本実施形態に係る物置台２１の上表面は前端が高く後端が低い曲面である。上記挟圧機構２２は、上記物置台２１の上表面の後端に設けられ、上記折曲部２２１は、上記物置台２１の上表面の前端方向に凸出している。上記折曲部２２１の物置台２１の上表面の前端方向に凸出する箇所には、掴み部２３及び一体的に掴み部２３の下方に設けられたクッション２４が設けられている。上記掴み部には滑り止め模様が設けられている。具体的には、上記物置台２１の上表面の後端には２本の支持アーム２１２が設けられ、上記挟圧機構２２は作動棒２２２及び弾性装置２２３を含み、上記作動棒２２２の両端は引き伸ばし可能に２つの支持アーム２１２内にそれぞれ設置されている。上記折曲部２２１は作動棒２２２の中部に設けられ、且つ当該折曲部２２１は物置台２１の上表面の前端の上方に位置する。上記折曲部２２１は上記クッション２４に包まれている。上記弾性装置２２３は作動棒２２２と支持アーム２１２との間に設けられている。より具体的には、当該弾性装置２２３及び作動棒２２２の両端はともに支持アーム２１２の内腔に設置され、且つ当該弾性装置２２３の両端はそれぞれ作動棒２２２、支持アーム２１２の内腔と当接している。弾性装置２２３は好ましくはバネである。使用する際には、掴み部２３を手動で上方に引くことによって作動棒２２２を上方に移動させ、作動棒２２２の移動によって物置台２１とクッション２４との距離が増大し、当該距離が撮影機器の大きさより大きくなったときに、撮影機器を物置台２１に置いて作動棒２２２を放すと、上記作動棒２２２と支持アーム２１２との間に設けられた弾性装置２２３によって作動棒２２２が下方に移動して、撮影機器を挟圧する。
【００２４】
以上の実施形態は、本発明の技術方案を説明するために用いられるに過ぎず、それを限定するものではないと解されるべきである。当業者は上記実施形態に記載されている技術法案に対して修正することができ、又はそのうちの一部の技術的特徴を同等変更することができる。そして、このような修正及び変更も、すべて本発明の特許請求の範囲の保護範囲に含まれる。
【図１】
2016538603.tif 000003
【図２】
2016538603.tif 000004
【図３】
2016538603.tif 000005
【図４】
2016538603.tif 000006
【図５】
2016538603.tif 000007
【図６】
2016538603.tif 000008
【国際調査報告】
2016538603.tif 000009
2016538603.tif 000010
2016538603.tif 000011
2016538603.tif 000012